(57)【特許請求の範囲】
【請求項１】
有極性コンデンサに所定の電圧パルスを印加する電圧印加部と、
前記有極性コンデンサを所定時間充電または放電させて、前記有極性コンデンサの正方向及び逆方向電圧を測定し、前記測定した電圧を比較した結果によって前記有極性コンデンサの極性を判別する制御部と、
を含む有極性コンデンサの極性判別装置であって、
前記有極性コンデンサの容量及び制限抵抗に基づく時定数が１τ〜２τの範囲内である、極性判別装置。
【請求項２】
前記制御部は、
前記有極性コンデンサの正方向電圧が前記有極性コンデンサの逆方向電圧以上であると、前記有極性コンデンサの極性が陽極であると判別する請求項１に記載の有極性コンデンサの極性判別装置。
【請求項３】
前記制御部は、
前記有極性コンデンサの正方向電圧が前記有極性コンデンサの逆方向電圧未満であると、前記有極性コンデンサの極性が陰極であると判別する請求項１に記載の有極性コンデンサの極性判別装置。
【請求項４】
前記有極性コンデンサの正方向及び逆方向電圧を増幅する増幅部をさらに含む請求項１に記載の有極性コンデンサの極性判別装置。
【請求項５】
前記制御部は、
前記有極性コンデンサの正方向及び逆方向電圧をデジタル値に変換するＡ／Ｄ変換部と、
前記デジタル値に変換された前記有極性コンデンサの正方向及び逆方向電圧を比較し、前記比較した結果によって前記有極性コンデンサの極性を判別する極性判別部を含む請求項１に記載の有極性コンデンサの極性判別装置。
【請求項６】
前記有極性コンデンサに印加される電圧パルスの大きさを制限する制限部をさらに含む請求項１に記載の有極性コンデンサの極性判別装置。
【請求項７】
前記制御部は、
前記有極性コンデンサの正方向及び逆方向電圧の絶対値を測定する請求項１に記載の有極性コンデンサの極性判別装置。
【請求項８】
前記所定の電圧は、−０．５Ｖ〜＋０．５Ｖである請求項１に記載の有極性コンデンサの極性判別装置。
【請求項９】
前記測定された有極性コンデンサの正方向及び逆方向電圧が予め設定された電圧範囲になるように、逆電圧を発生させて前記有極性コンデンサの正方向及び逆方向電圧を減算または加算させる調節部をさらに含む請求項１に記載の有極性コンデンサの極性判別装置。
【請求項１０】
前記制御部は、
前記有極性コンデンサを第１時間充電させた後、前記有極性コンデンサの正方向及び逆方向電圧を測定し、前記測定した電圧を第１比較して、
前記有極性コンデンサを第２時間放電させた後、前記有極性コンデンサの正方向及び逆方向電圧を測定し、前記測定した電圧を第２比較して、
前記第１及び第２比較した結果によって前記有極性コンデンサの極性を判別し、前記第１及び第２時間は測定容量及び制限抵抗による時定数に基づいて設定する請求項１に記載の有極性コンデンサの極性判別装置。
【請求項１１】
前記制御部は、
前記第１比較した結果で前記有極性コンデンサの正方向電圧が前記有極性コンデンサの逆方向電圧以上であり、
前記第２比較した結果で前記有極性コンデンサの正方向電圧が前記有極性コンデンサの逆方向電圧以上であると、前記有極性コンデンサの極性が陽極であると判別する請求項１０に記載の有極性コンデンサの極性判別装置。
【請求項１２】
前記制御部は、
前記第１比較した結果で前記有極性コンデンサの正方向電圧が前記有極性コンデンサの逆方向電圧未満であり、
前記第２比較した結果で前記有極性コンデンサの正方向電圧が前記有極性コンデンサの逆方向電圧未満であると、前記有極性コンデンサの極性が陰極であると判別する請求項１０に記載の有極性コンデンサの極性判別装置。
【請求項１３】
請求項１に記載の極性判別装置と、
前記判別された有極性コンデンサの極性によって前記有極性コンデンサの極性転換可否を判断し、前記有極性コンデンサの極性を転換させる極性転換装置を含む特性選別システム。
【請求項１４】
前記有極性コンデンサをピックアップする排出装置をさらに含む請求項１３に記載の特性選別システム。
【請求項１５】
前記有極性コンデンサの特性を測定する測定装置をさらに含む請求項１３に記載の特性選別システム。
【発明の詳細な説明】
【技術分野】
【０００１】
本発明は有極性コンデンサの極性判別装置及びこれを含む特性選別システムに関し、より詳細には、有極性コンデンサを所定時間充電及び／または放電させた結果によって有極性コンデンサの極性を判別する有極性コンデンサの極性判別装置及びこれを含む特性選別システムに関する。
【背景技術】
【０００２】
一般的にコンデンサ（ｃｏｎｄｅｎｓｅｒ）とは電荷を蓄積する装置であり、向い合う二枚の金属板の間に誘電体という絶縁物質が備えられた形態で構成される。
【０００３】
このようなコンデンサの種類は、極性の有無によって大きく有極性コンデンサ及び無極性コンデンサに分けられ、このうち有極性コンデンサは極性が決まっているため、極性の反対方向に電圧が印加されるとショートのような問題が発生する恐れがある。
【０００４】
従って、上述の問題点を防止するためには、有極性コンデンサを用いる前に有極性コンデンサの極性を予め判別する必要がある。
【０００５】
従来は、有極性コンデンサの極性を判別するために、有極性コンデンサの形状を変形したり、有極性コンデンサの極性をマークで直接表示する方式を用いた。
【０００６】
しかし、従来の方式は、光学式カメラを利用して有極性コンデンサの外観を識別するため、極性判別装置の規模が大きくなる問題点があり、これにより製造コストが増加するという問題点があった。
【発明の概要】
【発明が解決しようとする課題】
【０００７】
本発明は有極性コンデンサを所定時間充電及び／または放電させた後、正方向及び逆方向の測定電圧を比較した結果によって、有極性コンデンサの極性を容易に判別することができる有極性コンデンサの極性判別装置及びこれを含む特性選別システムを提供することを目的とする。
【先行技術文献】
【特許文献】
【０００８】
【特許文献１】特開平５−２０９９１９号公報
【特許文献２】特開２０００−３１１８４０号公報
【０００９】
〔課題を解決するための手段〕
このために、本発明の一実施形態による有極性コンデンサの極性判別装置は、有極性コンデンサに所定の電圧パルスを印加する電圧印加部；前記有極性コンデンサを所定時間充電または放電させて、前記有極性コンデンサの正方向及び逆方向電圧を測定し、前記測定した電圧を比較した結果によって前記有極性コンデンサの極性を判別する制御部を含む。
【００１０】
ここで、前記制御部は、前記有極性コンデンサの正方向電圧が前記有極性コンデンサの逆方向電圧以上であると、前記有極性コンデンサの極性が陽極であると判別し、前記有極性コンデンサの正方向電圧が前記有極性コンデンサの逆方向電圧未満であると、前記有極性コンデンサの極性が陰極であると判別する。
そして、本発明の一実施形態による有極性コンデンサの極性判別装置は、前記有極性コンデンサの正方向及び逆方向電圧を増幅する増幅部をさらに含む。
【００１１】
一方、前記制御部は、前記有極性コンデンサの正方向及び逆方向電圧をデジタル値に変換するＡ／Ｄ変換部、及び前記デジタル値に変換された前記有極性コンデンサの正方向及び逆方向電圧を比較し、前記比較した結果によって前記有極性コンデンサの極性を判別する極性判別部を含む。
【００１２】
また、前記有極性コンデンサに印加される電圧パルスの大きさを制限する制限部をさらに含む。
【００１３】
また、前記制御部は前記有極性コンデンサの正方向及び逆方向電圧の絶対値を測定する。
【００１４】
前記所定の電圧は−０．５Ｖ〜＋０．５Ｖである。
【００１５】
一方、本発明の一実施形態による有極性コンデンサの極性判別装置は、前記測定された有極性コンデンサの正方向及び逆方向電圧が予め設定された電圧範囲になるように、逆電圧を発生させて前記有極性コンデンサの正方向及び逆方向電圧を減算または加算させる調節部をさらに含む。
【００１６】
本発明の他の実施形態による有極性コンデンサの極性判別装置は、有極性コンデンサに所定の電圧パルスを印加する電圧印加部、及び前記有極性コンデンサを所定時間充電及び放電させて、前記有極性コンデンサの正方向及び逆方向電圧を測定し、前記測定した電圧を比較した結果によって前記有極性コンデンサの極性を判別する制御部を含む。
【００１７】
ここで、前記制御部は、前記有極性コンデンサを第１時間充電させた後、前記有極性コンデンサの正方向及び逆方向電圧を測定し、前記測定した電圧を第１比較して、前記有極性コンデンサを第２時間放電させた後、前記有極性コンデンサの正方向及び逆方向電圧を測定し、前記測定した電圧を第２比較して、前記第１及び第２比較した結果によって前記有極性コンデンサの極性を判別する。
【００１８】
そして、前記制御部は、前記第１比較した結果で前記有極性コンデンサの正方向電圧が前記有極性コンデンサの逆方向電圧以上であり、前記第２比較した結果で前記有極性コンデンサの正方向電圧が前記有極性コンデンサの逆方向電圧以上であると、前記有極性コンデンサの極性が陽極であると判別する。
【００１９】
また、前記制御部は、前記第１比較した結果で前記有極性コンデンサの正方向電圧が前記有極性コンデンサの逆方向電圧未満であり、前記第２比較した結果で前記有極性コンデンサの正方向電圧が前記有極性コンデンサの逆方向電圧未満であると、前記有極性コンデンサの極性が陰極であると判別する。
【００２０】
また、前記有極性コンデンサの正方向及び逆方向電圧を増幅する増幅部をさらに含む。
【００２１】
そして、前記制御部は、前記有極性コンデンサの正方向及び逆方向電圧をデジタル値に変換するＡ／Ｄ変換部、及び前記デジタル値に変換された前記有極性コンデンサの正方向及び逆方向電圧を比較し、前記比較した結果によって前記有極性コンデンサの極性を判別する極性判別部を含む。
【００２２】
本発明の一実施形態による有極性コンデンサの極性判別装置を含む特性選別システムは、有極性コンデンサに所定の電圧パルスを印加して充電または放電させ、前記有極性コンデンサの正方向及び逆方向電圧を比較した結果によって前記有極性コンデンサの極性を判別する極性判別装置、及び前記判別された有極性コンデンサの極性によって前記有極性コンデンサの極性転換可否を判断し、前記有極性コンデンサの極性を転換させる極性転換装置を含む。
【００２３】
また、前記有極性コンデンサをピックアップする排出装置をさらに含む。
【００２４】
そして、前記有極性コンデンサの特性を測定する測定装置をさらに含む。
〔発明の効果〕
【００２５】
上述のような本発明の一実施形態による有極性コンデンサの極性判別装置及びこれを含む特性選別システムによると、有極性コンデンサに所定の電圧パルスを印加して一定時間充電及び／または放電させて、有極性コンデンサの正方向及び逆方向電圧を比較した結果によって有極性コンデンサの極性を判別することにより、有極性コンデンサの極性を正確かつ簡単に検出することができる長所がある。
【００２６】
これにより、有極性コンデンサをバルク状態で扱うことができるため、有極性コンデンサの収納空間を減らすことができ、供給装置を単純化し、生産性を向上させることができる。
【００２７】
そして、これにより製造コストを低減することができる長所がある。
【図面の簡単な説明】
【００２８】
【図１】本発明の一実施形態による有極性コンデンサの極性判別装置の構成を示すブロック図である。
【図２】図１に図示された本発明の第１実施形態による有極性コンデンサを充電させた後の測定結果を示すグラフである。
【図３】（ａ）は有極性コンデンサの等価回路であり、（ｂ）は有極性コンデンサに正方向電圧パルスを充電した後の測定結果を示すグラフであり、（ｃ）は有極性コンデンサに逆方向電圧パルスを充電した後の測定結果を示すグラフである。
【図４】図１に図示された本発明の第２実施形態による有極性コンデンサを放電させた後の測定結果を示すグラフである。
【図５】図１に図示された本発明の第３実施形態による有極性コンデンサを充電及び放電させた後の測定結果を示すグラフである。
【図６】本発明の他の実施形態による有極性コンデンサの極性判別装置の構成を示すブロック図である。
【図７】本発明の一実施形態による有極性コンデンサの極性判別装置を含む特性選別システムの構成を示すブロック図である。
【図８】本発明の一実施形態による有極性コンデンサの極性を判別する過程を示すフローチャートである。
【発明を実施するための形態】
【００２９】
本明細書及び請求範囲に用いられた用語や単語は通常的かつ辞書的な意味に限定して解釈されてはならず、発明者が自らの発明を最善の方法で説明するために用語の概念を適切に定義することができるという原則にしたがって本発明の技術的思想にかなう意味と概念に解釈されなければならない。
【００３０】
従って、本明細書に記載された実施形態と図面に図示された構成は本発明のもっとも好ましい一実施形態に過ぎず、本発明の技術的思想の全部を代弁しているわけではないため、本出願時点においてこれらを代替することができる多様な均等物と変形例があり得ることを理解しなければならない。
【００３１】
図１は本発明の一実施形態による有極性コンデンサの極性判別装置の構成を示すブロック図であり、図２は図１に図示された本発明の第１実施形態による有極性コンデンサを充電させた後の測定結果を示すグラフである。
【００３２】
図１及び図２に図示したように、有極性コンデンサの極性判別装置１００は、電圧印加部１１０、制限部１２０、増幅部１３０及び制御部１４０を含んで構成される。
【００３３】
電圧印加部１１０は、所定の電圧パルスを印加し、第１時間（ＣｈａＴ）の間有極性コンデンサ５０が充電されるように構成される。
【００３４】
ここで、所定の電圧パルスとは、正方向及び逆方向電圧を含むパルス形態の電圧であり、有極性コンデンサ５０が許容する電圧を超過しない程度、即ち、有極性コンデンサ５０を破壊しない程度の微小な電圧である−０．５Ｖ〜＋０．５Ｖの電圧パルスである。
【００３５】
このような電圧パルスは、その形態によって矩形波、三角波または正弦波で構成されることができる。
【００３６】
制限部１２０は有極性コンデンサ５０に印加される電圧のレベルを制限する手段であり、電圧印加部１１０から有極性コンデンサ５０に印加される電圧が有極性コンデンサ５０が許容する電圧を超過する場合に備えて、有極性コンデンサ５０に印加される電圧のレベルを制限することにより、有極性コンデンサ５０を破壊しない程度の微小な電圧が有極性コンデンサ５０に印加されるようにする。
【００３７】
このような制限部１２０は、制限抵抗（ｒｅｓｉｓｔｏｒ）Ｒや定電流ダイオードなどの電流制限回路を用いて構成される。
【００３８】
この際、制限部１２０が制限抵抗Ｒであると、図２のように電圧の充電曲線は指数関数（ｅｘｐｏｎｅｎｔｉａｌ）形態になるが、制限部１２０が定電流ダイオードなどの電流制限回路であると、電圧の充電曲線はリニア（ｌｉｎｅａｒ）になり、充電時間である第１時間（ＣｈａＴ）は有極性コンデンサの容量（Ｃ）＊充電電圧（Ｖｃ）／定電流値（Ｉ）になる。
【００３９】
一方、本発明の一実施形態では、制限抵抗Ｒで構成された制限部１２０を例にとり説明する。
【００４０】
増幅部１３０は、有極性コンデンサ５０を第１時間（ＣｈａＴ）の間充電した後、有極性コンデンサ５０の両端にかかる電圧を増幅する手段であり、増幅度（ｎ）によって増幅される程度を調節することができる。
【００４１】
より具体的に説明すると、有極性コンデンサ５０に印加される電圧レベルは微小であるため、有極性コンデンサ５０に充電される電圧レベルも微小になる。従って、後述する有極性コンデンサ５０の正方向及び逆方向電圧を容易に比較するために、増幅部１３０は有極性コンデンサ５０の電圧を増幅する。
【００４２】
制御部１４０は有極性コンデンサの極性判別装置１００を全体的に制御するマイコンであり、第１時間（ＣｈａＴ）の間充電された有極性コンデンサ５０の正方向電圧（Ｃｈａ_Ｆ）及び逆方向電圧（Ｃｈａ_Ｒ）を測定し、前記測定した電圧を比較した結果によって有極性コンデンサ５０の極性を判別する。
【００４３】
このような制御部１４０はＡ／Ｄ変換部１４２及び極性判別部１４４を含み、Ａ／Ｄ変換部１４２は増幅部１３０で増幅された有極性コンデンサ５０の正方向及び逆方向のアナログ電圧値をデジタル値に変換する。
【００４４】
そして、極性判別部１４４は、Ａ／Ｄ変換部１４２で変換されたデジタル形態の有極性コンデンサ５０の正方向及び逆方向電圧を比較し、前記比較した結果によって有極性コンデンサ５０の極性を判別する。
【００４５】
図２を参照してより詳細に説明すると、極性判別部１４４は、有極性コンデンサ５０の正方向電圧（Ｃｈａ_Ｆ）が有極性コンデンサ５０の逆方向電圧（Ｃｈａ_Ｒ）以上であると、有極性コンデンサ５０の極性が陽（＋）極であると判別し、有極性コンデンサ５０の正方向電圧（Ｃｈａ_Ｆ）が有極性コンデンサ５０の逆方向電圧（Ｃｈａ_Ｒ）未満であると、有極性コンデンサ５０の極性が陰（−）極であると判別する。
【００４６】
この際、極性判別部１４４は有極性コンデンサ５０の正方向及び逆方向電圧を絶対値に変換して極性を判別し、また、絶対値回路を追加して自動的にＤＣプラス範囲でのみＡ／Ｄ変換部１４２を利用して有極性コンデンサの正方向及び逆方向電圧を変換すると、分解能が向上されるため、有極性コンデンサの極性をより精密に判別することができるようになる。
【００４７】
図３（ａ）は有極性コンデンサの等価回路であり、図３（ｂ）は有極性コンデンサに正方向電圧パルスを充電した後の測定結果を示すグラフであり、図３（ｃ）は有極性コンデンサに逆方向電圧パルスを充電した後の測定結果を示すグラフである。
【００４８】
以下、図３（ａ）から（ｃ）を参照して、有極性コンデンサを充電した結果によって有極性コンデンサの極性を検出することができる原理に対して説明する。
【００４９】
図３（ａ）のように、有極性コンデンサ５０には容量成分及び前記容量成分と並列に連結された寄生ダイオード成分が存在するが、正方向の電圧パルスを有極性コンデンサ５０に充電すると，寄生ダイオード側には電流が流れず、全て容量成分に電流が充電されるため、単位時間あたり電圧上昇が早くなる。
【００５０】
これと反対に、有極性コンデンサ５０に逆方向の電圧パルスを充電すると、寄生ダイオードによって漏洩される電流があるため、正方向の電圧パルスを充電する場合より電圧上昇が遅くなる。従って、測定電圧の絶対値は何れの容量でも正方向電圧が逆方向電圧より大きいため、単位時間あたり電圧が増加する程度を比較することにより、有極性コンデンサの極性を判別することができるようになる。
【００５１】
また、下記表１は、有極性コンデンサに電圧を充電及び／または放電した後、正方向及び逆方向での測定電圧を示す。
【００５２】
【表１】
0005367751.tif 000002
【００５３】
表１に示したように、有極性コンデンサに電圧を充電及び／または放電した後、正方向及び逆方向での測定電圧をみると、有極性コンデンサの容量に関わらず、正方向での絶対値電圧が逆方向での絶対値電圧より常に大きいということが分かる。
【００５４】
一方、有極性コンデンサ５０の充電時間である第１時間（ＣｈａＴ）は、制限抵抗Ｒと有極性コンデンサ５０の容量（Ｃ）の時定数（τ＝ＲＣ）によって決められ、測定電圧（Ｖｍ：Ｃｈａ_Ｆ、Ｃｈａ_Ｒ）は下記の数学式によって決められる。
【００５５】
【数１】
0005367751.tif 000003
【００５６】
ここで、Ｖｃは充電電圧である。
【００５７】
この際、測定電圧（Ｖｍ）は指数関数（ｅｘｐ）曲線になるが、有極性コンデンサ５０の容量に対して充電時間が短すぎたり制限抵抗が大きすぎて、時定数が１τ（約６３％充電）に及ばないと、測定電圧が小さいため有極性コンデンサ５０の正方向及び逆方向電圧の差が顕著に表れない。
【００５８】
これと反対に、時定数が３τ（約９５%充電）以上になると、電圧が充電電圧近傍の飽和領域に至るようになるため、この場合にも有極性コンデンサ５０の正方向及び逆方向電圧の差が顕著に表れない。従って、有極性コンデンサ５０の極性を正確に判別するためには、有極性コンデンサ５０の容量及び制限抵抗Ｒからの時定数を１τ〜２τ範囲内で設定しなければならない。
【００５９】
図４は図１に図示された本発明の第２実施形態による極性コンデンサを放電させた後の測定結果を示すグラフである。
【００６０】
図１及び図４に図示したように、電圧印加部１１０は、有極性コンデンサ５０に故障を起こさない程度の微小な電圧パルスを印加して有極性コンデンサ５０を充電させた後、充電が完了すると第２時間（ＤＣｈａＴ）の間放電させる。
【００６１】
以下、同一の機能を有する構成に対しては第１実施形態で説明したため省略する。
【００６２】
制御部１４０は、第２時間（ＤＣｈａＴ）の間放電された有極性コンデンサ５０の正方向電圧（ＤＣｈａ_Ｆ）及び逆方向電圧（ＤＣｈａ_Ｒ）を測定し、前記測定した電圧を比較した結果によって有極性コンデンサ５０の極性を判別する。
【００６３】
図４を参照してより詳細に説明すると、Ａ／Ｄ変換部１４２は、有極性コンデンサ５０の正方向及び逆方向のアナログ電圧値をデジタル値に変換する。
【００６４】
そして、極性判別部１４４は、Ａ／Ｄ変換部１４２で変換されたデジタル形態の有極性コンデンサ５０の正方向及び逆方向の電圧を比較し、前記比較した結果によって有極性コンデンサ５０の極性を判別する。即ち、有極性コンデンサ５０の正方向電圧（ＤＣｈａ_Ｆ）が有極性コンデンサ５０の逆方向電圧（|ＤＣｈａ_Ｒ|）以上であると、有極性コンデンサ５０の極性が陽（＋）極であると判別し、有極性コンデンサ５０の正方向電圧（ＤＣｈａ_Ｆ）が有極性コンデンサ５０の逆方向電圧（|ＤＣｈａ_Ｒ|）未満であると、有極性コンデンサ５０の極性が陰（−）極であると判別する。
【００６５】
上述したように、有極性コンデンサ５０を充電した後放電させても、測定電圧の絶対値は何れの容量でも正方向電圧が逆方向電圧より大きいため、このような原理を利用して有極性コンデンサの極性を判別することができる。
【００６６】
図５は図１に図示された本発明の第３実施形態による有極性コンデンサを充電及び放電させた後の測定結果を示すグラフである。
【００６７】
図５を参照すると、本発明の第１実施形態では充電電圧、第２実施形態では放電電圧を利用して有極性コンデンサ５０の極性を判別したが、本発明の第３実施形態では充電及び放電電圧を全て利用して有極性コンデンサ５０の極性を判別する。
【００６８】
制御部１４０は、有極性コンデンサ５０を第１時間（ＣｈａＴ）の間充電させた後、有極性コンデンサ５０の正方向電圧（Ｃｈａ_Ｆ）及び逆方向電圧（Ｃｈａ_Ｒ）を測定し、測定した電圧を第１比較する。
【００６９】
そして、制御部１４０は、有極性コンデンサ５０を第２時間（ＤＣｈａＴ）の間放電させた後、有極性コンデンサ５０の正方向電圧（ＤＣｈａ_Ｆ）及び逆方向電圧（ＤＣｈａ_Ｒ）を測定し、測定した電圧を第２比較する。
【００７０】
制御部１４０は、第１比較した結果で有極性コンデンサ５０の正方向電圧（Ｃｈａ_Ｆ）が有極性コンデンサ５０の逆方向電圧（|Ｃｈａ_Ｒ|）以上であり、第２比較した結果で有極性コンデンサの正方向電圧（ＤＣｈａ_Ｆ）が有極性コンデンサ５０の逆方向電圧（|ＤＣｈａ_Ｒ|）以上であると、有極性コンデンサ５０の極性が陽（＋）極であると判別する。
【００７１】
また、制御部１４０は、第１比較した結果で有極性コンデンサ５０の正方向電圧（Ｃｈａ_Ｆ）が有極性コンデンサ５０の逆方向電圧（|Ｃｈａ_Ｒ|）未満であり、第２比較した結果で有極性コンデンサの正方向電圧（ＤＣｈａ_Ｆ）が有極性コンデンサ５０の逆方向電圧（|ＤＣｈａ_Ｒ|）未満であると、有極性コンデンサ５０の極性が陰（−）極であると判別する。
【００７２】
上述したように、充電及び放電電圧を全て利用して有極性コンデンサ５０の極性を判別する理由は、有極性コンデンサ５０と測定端子の接触性が不完全であると、途中に接触したり、途中に接触不良状態になることにより、有極性コンデンサ５０の極性を誤判断する可能性があるため、充／放電の両方電圧を全て比較して有極性コンデンサ５０の極性を明確に判別する。
【００７３】
図６は本発明の他の実施形態による有極性コンデンサの極性判別装置の構成を示すブロック図である。
【００７４】
図６に図示したように、有極性コンデンサの極性判別装置２００は、電圧印加部２１０、制限部２２０、増幅部２３０、制御部２４０及び調節部２５０を含んで構成される。
【００７５】
以下、同一の機能を有する構成に対しては図１の一実施形態で説明したため省略する。
【００７６】
調節部２５０は、有極性コンデンサ５０の正方向及び逆方向電圧が予め設定された電圧範囲になるように、逆電圧を発生させて有極性コンデンサ５０の正方向及び逆方向電圧を減算または加算させる。
【００７７】
即ち、調節部２５０は、正方向電圧パルスが印加される場合には、増幅部２３０に印加される電流の一部が調節部２５０に流れるようにして有極性コンデンサ５０の正方向電圧を減算させ、逆方向電圧パルスが印加される場合には、反対に増幅部２３０に電流がもっと印加されるようにして有極性コンデンサ５０の逆方向電圧を加算させる。
【００７８】
より詳細に説明すると、有極性コンデンサ５０の正方向及び逆方向電圧の差が小さい場合には、二つの電圧の差を容易に判別するために増幅部２３０の増幅度を大きくしてもよいが、Ａ／Ｄ変換部２４２は予め決められた電圧範囲（ＤＣ＋１０／−１０Ｖ）内までの変換しかできないため、電圧差を拡大するために増幅率を大きくすることに限界がある。
【００７９】
従って、増幅度を大きくした時の測定電圧が予め決まった電圧範囲（ＤＣ＋１０／−１０Ｖ）内に入るように、調節部２５０は逆電圧を発生させて有極性コンデンサ５０の正方向及び逆方向電圧を減算または加算させる。
【００８０】
一方、有極性コンデンサの極性判別装置１００は、有極性コンデンサ５０の残留電圧によって誤判別を起こさないように、予め有極性コンデンサ５０を放電させるように構成される。
【００８１】
また、有極性コンデンサの極性判別装置１００は、有極性コンデンサ５０に数回の充電及び放電を遂行して、有極性コンデンサの極性判別装置１００が誤判別を起こさないようにする。
【００８２】
図７は本発明の一実施形態による有極性コンデンサの極性判別装置を含む特性選別システムの構成を示すブロック図である。
【００８３】
図７に図示したように、特性選別システムは、供給装置７０、極性判別装置１００、極性転換装置３００、測定装置４００、排出装置５００及び制御装置６００を含んで構成される。
【００８４】
まず、有極性コンデンサ５０はバルク状態で供給装置７０に投入され、極性がばらばらな状態で極性判別装置１００に搬送されて、極性判別を遂行するようにする。
【００８５】
極性判別装置１００は、有極性コンデンサ５０に所定の電圧パルスを印加して充電及び／または放電させた後、有極性コンデンサ５０の正方向及び逆方向の電圧を比較した結果によって有極性コンデンサ５０の極性を判別し、その結果を制御装置６００に伝達する。
【００８６】
極性判別装置１００は以上で説明したため、詳細な説明は省略する。
【００８７】
制御装置６００は、極性判別装置１００で判別された極性情報を受信し、受信された極性情報を利用して極性転換装置３００を制御することにより、極性転換を遂行することができる。
【００８８】
即ち、極性判別装置１００で判別された極性情報が制御装置６００を介して極性転換装置３００に伝達され、判別された有極性コンデンサ５０が搬送されてくると極性転換を遂行することができる。
【００８９】
極性転換装置３００は、判別された有極性コンデンサ５０の極性情報によって有極性コンデンサ５０の極性転換可否を判断し、前記判断結果によって有極性コンデンサ５０の極性を転換すべきである場合には、有極性コンデンサ５０の極性を転換させる。
【００９０】
測定装置４００は有極性コンデンサ５０の特性を測定する。即ち、測定装置４００は、ＤＣ１．５Ｖ程度のバイアス電圧を充電した状態でＣ／ＤＦ測定を行ったり、様々な種類のＤＣ電圧を充電して漏洩電流テストなどの特性測定を遂行する。
【００９１】
この際、有極性コンデンサ５０に電圧が誤って印加されると、有極性コンデンサ５０が破壊される恐れがあるため、極性判別及び極性転換が必ず先行されなければならない。
【００９２】
そして、測定装置４００で測定された有極性コンデンサ５０を排出装置５００でピックアップして次の工程を遂行するようにする。
【００９３】
一方、測定装置４００は極性判別装置１００及び極性転換装置３００で遂行することを全て遂行するように構成されることができ、この場合、制御装置６００を介していちいち通信する煩わしさがなくなる長所がある。
【００９４】
図８は本発明の一実施形態による有極性コンデンサの極性を判別する過程を示すフローチャートである。
【００９５】
図８に図示したように、有極性コンデンサ５０に所定の電圧パルスを印加する（Ｓ８００）。
【００９６】
そして、有極性コンデンサ５０を所定時間充電及び／または放電させる（Ｓ８１０）。
【００９７】
次に、有極性コンデンサ５０両端の正方向及び逆方向電圧を増幅（Ｓ８２０）し、増幅された有極性コンデンサ５０両端の正方向及び逆方向電圧をデジタル値に変換する（Ｓ８３０）。
【００９８】
次に、有極性コンデンサ５０の正方向電圧が逆方向電圧以上であるかを絶対値を基準にして判断（Ｓ８４０）し、前記判断した結果、有極性コンデンサ５０の正方向電圧が逆方向電圧以上であると（Ｓ８４０の「ＹＥＳ」）、有極性コンデンサ５０の極性を陽極であると判別する（Ｓ８５０）。
【００９９】
もし、Ｓ８４０で有極性コンデンサ５０の正方向電圧が逆方向電圧未満であると（Ｓ８４０の「ＮＯ」）、有極性コンデンサ５０の極性を陰極であると判別する（Ｓ８６０）。
【０１００】
ここで、有極性コンデンサ５０の極性を陽極であると判別した場合は、図１のように有極性コンデンサ５０の「＋」で示された部分の極性が陽極であるということであり、有極性コンデンサ５０の極性を陰極であると判別した場合は、有極性コンデンサ５０の「＋」で示された部分の極性が陰極であるということである。
【０１０１】
以上、本発明の好ましい実施形態を参照して図示及び説明したが、本発明は上述の実施形態に限定されず、本発明の思想を外れない範囲内で、当該発明が属する技術分野にて通常の知識を有する者によって多様な変更及び修正が可能であろう。
【符号の説明】
【０１０２】
１００、２００  有極性コンデンサの極性判別装置
１１０、２１０  電圧印加部
１２０、２２０  制限部
１３０、２３０  増幅部
１４０、２４０  制御部
１４２、２４２  Ａ／Ｄ変換部
１４４、２４４  極性判別部
３００  極性転換装置
４００  測定装置
５００  排出装置
６００  制御装置
【図１】
0005367751.tif 000004
【図２】
0005367751.tif 000005
【図３】
0005367751.tif 000006
【図４】
0005367751.tif 000007
【図５】
0005367751.tif 000008
【図６】
0005367751.tif 000009
【図７】
0005367751.tif 000010
【図８】
0005367751.tif 000011